(57)【特許請求の範囲】
【請求項１】
信号生成回路であって、
予め定められた周波数を有する局部発振信号を生成する局部発振器と、
前記局部発振信号から、中間基準位相信号と、当該中間基準位相信号と位相が直交する中間直交信号とを生成する９０度分配器と、
前記９０度分配器で生成された中間基準位相信号が入力される第１のミキサと、
前記９０度分配器で生成された中間直交信号が入力される第２のミキサと、
前記局部発振器と結線されており、前記局部発振信号の位相を、予め定められた量だけずらして移相信号を生成する移相器と、
前記移相器で生成された移相信号を２分岐して、前記第１および第２のミキサに出力する分配器とを備え、
前記第１のミキサは、前記分配器から出力された移相信号と前記９０度分配器から出力された中間基準位相信号とを混合して、基準位相信号を生成し、
前記第２のミキサは、前記分配器から出力された移相信号と前記９０度分配器から出力された中間直交信号とを混合して、直交信号を生成する、信号生成回路。
【請求項２】
信号生成回路であって、
予め定められた周波数を有する局部発振信号を生成する局部発振器と、
前記局部発振器と結線されており、前記局部発振信号の位相を、予め定められた量だけずらして移相信号を生成する移相器と、
前記移相信号から、中間基準位相信号と、当該中間基準位相信号と位相が直交する中間直交信号とを生成する９０度分配器と、
前記９０度分配器で生成された中間基準位相信号が入力される第１のミキサと、
前記９０度分配器で生成された中間直交信号が入力される第２のミキサと、
前記局部発振器と結線されており、前記局部発振信号を２分岐して、前記第１および第２のミキサに出力する分配器とを備え、
前記第１のミキサは、前記分配器から出力された局部発振信号と前記９０度分配器から出力された中間基準位相信号とを混合して、基準位相信号を生成し、
前記第２のミキサは、前記分配器から出力された局部発振信号と前記９０度分配器から出力された中間直交信号とを混合して、直交信号を生成する、信号生成回路。
【請求項３】
前記９０度分配器は、抵抗および容量からなるＲＣ移相器からなる、請求項１又は２に記載の信号生成回路。
【請求項４】
前記９０度分配器は、ポリフェーズフィルタからなる、請求項１又は２に記載の信号生成回路。
【請求項５】
前記９０度分配器は、多段ポリフェーズフィルタからなる、請求項１又は２に記載の信号生成回路。
【請求項６】
直交変調器に組み込まれる、請求項１又は２に記載の信号生成回路。
【請求項７】
直交復調器に組み込まれる、請求項１又は２に記載の信号生成回路。
【請求項８】
イメージリジェクションミキサに組み込まれる、請求項１又は２に記載の信号生成回路。
【請求項９】
無線通信機に組み込まれる、請求項１又は２に記載の信号生成回路。
【請求項１０】
信号生成回路であって、
予め定められた周波数を有する局部発振信号を生成する局部発振器と、
前記局部発振信号から、中間基準位相信号と、当該中間基準位相信号と位相が直交する中間直交信号とを生成する第１の９０度分配器と、
前記第１の９０度分配器で生成された中間基準位相信号が入力される第１のミキサと、
前記第１の９０度分配器で生成された中間直交信号が入力される第２のミキサと、
前記局部発振器と結線されており、前記局部発振器で生成された局部発振信号から、位相差が９０度の第１および第２の信号を生成する第２の９０度分配器と、
前記第２の９０度分配器で生成された第１および第２の信号を合成して、合成信号を生成する合成器と、
前記合成器で生成された合成信号を２分岐して、前記第１および第２のミキサに出力する分配器とを備え、
前記第１のミキサは、前記分配器から出力された合成信号の一方と前記第１の９０度分配器から出力された中間基準位相信号とを混合して、基準位相信号を生成し、
前記第２のミキサは、前記分配器から出力された合成信号の他方と前記第１の９０度分配器から出力された中間直交信号とを混合して、直交信号を生成する、信号生成回路。
【請求項１１】
信号生成回路であって、
予め定められた周波数を有する局部発振信号を生成する局部発振器と、
前記局部発振信号から、中間基準位相信号と、当該中間基準位相信号と位相が直交する中間直交信号とを生成する９０度分配器と、
前記９０度分配器で生成された中間基準位相信号を２分岐する第１の分配器と、
前記９０度分配器で生成された中間直交信号を２分岐する第２の分配器と、
前記第１の分配器で２分岐された中間基準位相信号の一方が入力される第１のミキサと、
前記第２の分配器で２分岐された中間直交信号の一方が入力される第２のミキサと、
前記第１および第２の分配器でそれぞれ２分岐された中間基準位相信号の他方および中間直交信号の他方を加算して加算信号を生成する加算器と、
前記加算器で生成された加算信号を２分岐して、前記第１および第２のミキサに出力する第３の分配器とを備え、
前記第１のミキサは、前記第３の分配器から出力された加算信号と前記９０度分配器から出力された中間基準位相信号とを混合して、基準位相信号を生成し、
前記第２のミキサは、前記第３の分配器から出力された加算信号と前記９０度分配器から出力された中間直交信号とを混合して、直交信号を生成する、信号生成回路。
【請求項１２】
信号生成回路であって、
予め定められた周波数を有する局部発振信号を生成する局部発振器と、
前記局部発振信号から、中間基準位相信号と、当該中間基準位相信号と位相が直交する中間直交信号とを生成する９０度分配器と、
前記９０度分配器で生成された中間基準位相信号を２分岐する第１の分配器と、
前記第１の分配器で２分岐された中間基準位相信号の一方を増幅する第１の増幅器と、
前記第１の分配器で２分岐された中間基準位相信号の他方を増幅する第２の増幅器と、
前記９０度分配器で生成された中間直交信号を２分岐する第２の分配器と、
前記第２の分配器で２分岐された中間直交信号の一方を増幅する第３の増幅器と、
前記第２の分配器で２分岐された中間直交信号の他方を増幅する第４の増幅器と、
前記第１の増幅器で増幅された中間基準位相信号が入力される第１のミキサと、
前記第３の増幅器で増幅された中間直交信号が入力される第２のミキサと、
前記第２および第４の増幅器で増幅された中間基準位相信号および中間直交信号を合成して合成信号を生成する合成器と、
前記合成器で生成された合成信号を２分岐して、前記第１および第２のミキサに出力する第３の分配器とを備え、
前記第１のミキサは、前記第３の分配器から出力された合成信号と前記第１の増幅器から出力された中間基準位相信号とを混合して、基準位相信号を生成し、
前記第２のミキサは、前記第３の分配器から出力された合成信号と前記第３の増幅器から出力された中間直交信号とを混合して、直交信号を生成する、信号生成回路。
【発明の詳細な説明】
【０００１】
【発明の属する技術分野】
本発明は、信号生成回路に関し、より特定的には、位相差が９０度の２つの信号（以下、基準位相信号および直交信号と称する）を生成する信号生成回路に関する。
【０００２】
【従来の技術】
近年の無線通信機には、直交変調器、直交復調器またはイメージリジェクションミキサが多用され、これらは、上述のような基準位相信号および直交信号を必要とする。
【０００３】
図１２は、一般的な直交変調器の回路構成を示すブロック図である。図１２において、直交変調器は、局部発振器１０１と、９０度分配器１０２と、２個の入力端子１０３および１０４と、２個のミキサ１０５および１０６と、合成器１０７と、出力端子１０８とを備えている。
【０００４】
局部発振器１０１は、予め定められた周波数ｆC を有する局部発振信号ＳLOを生成して、９０度分配器１０２に出力する。ここで、後述の実施形態での便宜のため、局部発振信号ＳLOの発振周波数ｆC をｆC1とする。９０度分配器１０２は、入力局部発振信号ＳLOから、基準位相信号ＳREF および直交信号ＳQRを生成する。ここで、基準位相信号ＳREF および直交信号ＳQRは理想的には、９０度の位相差を有し、かつ互いに同じ振幅を有する。また、基準位相信号ＳREF は、入力局部発振信号ＳLOのものと同じ位相を有する場合には、同相信号と呼ばれる。以上の基準位相信号ＳREF は、ミキサ１０５に出力され、直交信号ＳQRは、ミキサ１０６に出力される。
【０００５】
ここで、９０度分配器１０２の３つの構成例について、図１３〜図１５を参照して説明する。図１３は、９０度分配器１０２の第１の構成例であるＲＣ移相器の回路構成を示す模式図である。図１３において、ＲＣ移相器は、入力端子２０１と、分配器２０２と、直列容量２０３と、並列抵抗２０４と、直列抵抗２０５と、並列容量２０６と、２個の出力端子２０７および２０８とを備えている。以上のような構成のＲＣ移相器において、入力端子２０１に、上述の局部発振信号ＳLOが与えられると、出力端子２０７および２０８からは、上述の基準位相信号ＳREF および直交信号ＳQRが出力される。以上のようなＲＣ移相器を応用した９０度分配器については、例えば、"RF Microelectronics"（Behzad Razavi著）の第１３８頁に記載されている。
【０００６】
また、図１４は、９０度分配器１０２の第２の構成例であるポリフェーズフィルタの回路構成を示す模式図である。図１４において、ポリフェーズフィルタは、２個の入力端子２１１および２１２と、４個の抵抗２１３〜２１６と、４個の容量２１７〜２１１０と、４個の出力端子２１１１〜２１１４とを備えている。以上の構成のポリフェーズフィルタにおいて、入力端子２１１および２１２には、差動信号が入力される。差動信号は、上述の局部発振信号ＳLOから生成され、一般的に、局部発振信号ＳLOと同相の信号および逆相の信号からなる。以上のような差動信号が入力されることで、出力端子２１１１および２１１３から、基準位相信号ＳREF および直交信号ＳQRが出力される。出力端子２１１２および２１１４からも、同様の２信号ＳREF およびＳQRが出力される。以上のポリフェーズフィルタは、入力端子２１１および２１２が差動であるため、差動回路が多用される半導体集積回路に好適である。
【０００７】
また、図１４のポリフェーズフィルタを、図１５に示すように２段以上直列に接続して、９０度分配器１０２を広帯域化することも可能である。
【０００８】
再度、図１２を参照する。ミキサ１０５および１０６にはさらに、入力端子１０３および１０４を通じて、ベースバンド信号ＳBBが与えられる。ミキサ１０５は、入力ベースバンド信号ＳBBと入力基準位相信号ＳREF とを掛け合わせて、基準位相変調信号ＭＳREF を生成する。以上の基準位相変調信号ＭＳREF は、合成器１０７に出力される。また、ミキサ１０６は、入力ベースバンド信号ＳBBと入力直交信号ＳQRとを掛け合わせて、基準位相変調信号ＭＳREF と位相が直交する直交変調信号ＭＳQRを生成する。以上の直交変調信号ＭＳQRもまた合成器１０７に出力される。
【０００９】
合成器１０７は、入力基準位相変調信号ＭＳREF と入力直交変調信号ＭＳQRとを合成して、合成信号ＳMPを生成する。このような合成により、合成信号ＳMPからは、イメージ成分がうち消される。ここで、イメージ成分の抑圧比は、９０度分配器１０２の振幅誤差および／または位相誤差に大きく依存する。そのため、直交変調器には、振幅値が互いに等しくかつ直交性の高い高精度な基準位相信号ＳREF および直交信号ＳQRを生成する９０度分配器１０２が実装される必要がある。
なお、直交復調器は、直交変調器と逆の処理を行うので、その図示および詳説を省略する。
【００１０】
図１６は、一般的なイメージリジェクションミキサの回路構成を示す模式図である。図１６において、イメージリジェクションミキサは、図１２の直交変調器と比較すると、２個の入力端子１０３および１０４に代えて、１個の入力端子１１１および９０度分配器１１２を備える点で相違する。それ以外に両者の間には回路構成上の相違点はないので、図１６において、図１２の構成に相当するものには同一の参照符号を付けて、以下の説明を続ける。
【００１１】
入力端子１１１には、中間周波数信号ＳIFが与えられ、その後、９０度分配器１１２に入力される。９０度分配器１１２は、９０度分配器１０２と同様にして、入力中間周波数信号ＳIFから、基準位相中間周波数信号ＩＦＳREF および直交中間周波数信号ＩＦＳQRを生成する。ここで、基準位相中間周波数信号ＩＦＳREF および直交中間周波数信号ＩＦＳQRは、互いに９０度の位相差を有し、かつ互いに同じ振幅を有する。以上の基準位相中間周波数信号ＩＦＳREF は、ミキサ１０５に出力され、直交中間周波数信号ＩＦＳQRは、ミキサ１０６に出力される。
【００１２】
ミキサ１０５は、入力基準位相中間周波数信号ＩＦＳREF と入力基準位相信号ＳREF とを掛け合わせて、基準位相変調信号ＭＳREF を生成する。以上の基準位相変調信号ＭＳREF は、合成器１０７に出力される。また、ミキサ１０６は、入力直交中間周波数ＩＦＳQRと入力直交信号ＳQRとを掛け合わせて、直交変調信号ＭＳQRを生成する。以上の直交変調信号ＭＳQRもまた合成器１０７に出力される。合成器１０７は、入力基準位相変調信号ＭＳREF と入力直交変調信号ＭＳQRとを合成して、合成信号ＳMPを生成する。
【００１３】
【発明が解決しようとする課題】
しかしながら、以上の９０度分配器１０２は、局部発振信号ＳLOが高周波数になる程、高精度な基準位相信号ＳREF および直交信号ＳQRを生成することができなくなるという問題点があった。より具体的には、図１３〜図１５のように構成される９０度分配器１０２が、理想的な基準位相信号ＳREF および直交信号ＳQRを生成するためには、各容量値をＣ、各抵抗値をＲ、局部発振器１０１の発振周波数をｆC とおくと、次式（１）を満たすように各容量値および各抵抗値を選ぶ必要がある。
ｆC ＝１／２πＲＣ…（１）
しかしながら、上式（１）から明らかなように、ｆC が高くなるに従って、Ｒおよび／またはＣは小さくなるので、回路素子のばらつきおよび／または温度偏差の影響が出やすくなる。その結果、基準位相信号ＳREF および直交信号ＳQRの間には、振幅誤差および／または位相誤差が生じてしまう。
【００１４】
特に、半導体集積回路では、配線層間のコンタクト抵抗と、回路上の抵抗との値の差が小さくなると、回路上の抵抗値のばらつきが大きくなり、また、回路上の容量の値が小さくなると、回路基板や配線における浮遊容量を無視できなくなるため、高精度な９０度分配器の実現がさらに難しくなる。
【００１５】
それ故に、本発明は、高周波数で高精度な基準位相信号および直交信号を生成できる信号生成器を提供することを目的とする。
【００１６】
【課題を解決するための手段および発明の効果】
上記目的を達成するため、第１の発明は、信号生成回路であって、予め定められた周波数を有する局部発振信号を生成する局部発振器と、局部発振信号から、中間基準位相信号と、当該中間基準位相信号と位相が直交する中間直交信号とを生成する９０度分配器と、９０度分配器で生成された中間基準位相信号が入力される第１のミキサと、９０度分配器で生成された中間直交信号が入力される第２のミキサと、局部発振器と結線されており、局部発振信号の位相を、予め定められた量だけずらして移相信号を生成する移相器と、移相器で生成された移相信号を２分岐して、第１および第２のミキサに出力する分配器とを備え、第１のミキサは、分配器から出力された移相信号と９０度分配器から出力された中間基準位相信号とを混合して、基準位相信号を生成し、第２のミキサは、分配器から出力された移相信号と９０度分配器から出力された中間直交信号とを混合して、直交信号を生成する。
【００１８】
第２の発明は、信号生成回路であって、予め定められた周波数を有する局部発振信号を生成する局部発振器と、局部発振器と結線されており、局部発振信号の位相を、予め定められた量だけずらして移相信号を生成する移相器と、移相信号から、中間基準位相信号と、当該中間基準位相信号と位相が直交する中間直交信号とを生成する９０度分配器と、９０度分配器で生成された中間基準位相信号が入力される第１のミキサと、９０度分配器で生成された中間直交信号が入力される第２のミキサと、局部発振器と結線されており、局部発振信号を２分岐して、第１および第２のミキサに出力する分配器とを備え、第１のミキサは、分配器から出力された局部発振信号と前記９０度分配器から出力された中間基準位相信号とを混合して、基準位相信号を生成し、第２のミキサは、分配器から出力された局部発振信号と９０度分配器から出力された中間直交信号とを混合して、直交信号を生成する。
【００１９】
第３、第４または第５の発明は、第１ならびに第２の発明に従属しており、９０度分配器は、抵抗および容量からなるＲＣ移相器、ポリフェーズフィルタ、または、多段ポリフェーズフィルタからなる。
第６、第７、第８または第９の発明は、第１ならびに第２の発明に従属しており、信号生成回路は直交変調器、直交復調器、イメージリジェクションミキサ、または無線通信機に組み込まれる。
【００２０】
第１０の発明は、信号生成回路であって、予め定められた周波数を有する局部発振信号を生成する局部発振器と、局部発振信号から、中間基準位相信号と、当該中間基準位相信号と位相が直交する中間直交信号とを生成する第１の９０度分配器と、第１の９０度分配器で生成された中間基準位相信号が入力される第１のミキサと、第１の９０度分配器で生成された中間直交信号が入力される第２のミキサと、局部発振器と結線されており、局部発振器で生成された局部発振信号から、位相差が９０度の第１および第２の信号を生成する第２の９０度分配器と、第２の９０度分配器で生成された第１および第２の信号を合成して、合成信号を生成する合成器と、合成器で生成された合成信号を２分岐して、第１および第２のミキサに出力する分配器とを備え、第１のミキサは、分配器から出力された合成信号の一方と第１の９０度分配器から出力された中間基準位相信号とを混合して、基準位相信号を生成し、第２のミキサは、分配器から出力された合成信号の他方と第１の９０度分配器から出力された中間直交信号とを混合して、直交信号を生成する。
【００２１】
第１１の発明は、信号生成回路であって、予め定められた周波数を有する局部発振信号を生成する局部発振器と、局部発振信号から、中間基準位相信号と、当該中間基準位相信号と位相が直交する中間直交信号とを生成する９０度分配器と、９０度分配器で生成された中間基準位相信号を２分岐する第１の分配器と、９０度分配器で生成された中間直交信号を２分岐する第２の分配器と、第１の分配器で２分岐された中間基準位相信号の一方が入力される第１のミキサと、第２の分配器で２分岐された中間直交信号の一方が入力される第２のミキサと、第１および第２の分配器でそれぞれ２分岐された中間基準位相信号の他方および中間直交信号の他方を加算して加算信号を生成する加算器と、加算器で生成された加算信号を２分岐して、第１および第２のミキサに出力する第３の分配器とを備え、第１のミキサは、第３の分配器から出力された加算信号と９０度分配器から出力された中間基準位相信号とを混合して、基準位相信号を生成し、第２のミキサは、第３の分配器から出力された加算信号と前記９０度分配器から出力された中間直交信号とを混合して、直交信号を生成する。
【００２２】
第１２の発明は、信号生成回路であって、予め定められた周波数を有する局部発振信号を生成する局部発振器と、局部発振信号から、中間基準位相信号と、当該中間基準位相信号と位相が直交する中間直交信号とを生成する９０度分配器と、９０度分配器で生成された中間基準位相信号を２分岐する第１の分配器と、第１の分配器で２分岐された中間基準位相信号の一方を増幅する第１の増幅器と、第１の分配器で２分岐された中間基準位相信号の他方を増幅する第２の増幅器と、９０度分配器で生成された中間直交信号を２分岐する第２の分配器と、第２の分配器で２分岐された中間直交信号の一方を増幅する第３の増幅器と、第２の分配器で２分岐された中間直交信号の他方を増幅する第４の増幅器と、第１の増幅器で増幅された中間基準位相信号が入力される第１のミキサと、第３の増幅器で増幅された中間直交信号が入力される第２のミキサと、第２および第４の増幅器で増幅された中間基準位相信号および中間直交信号を合成して合成信号を生成する合成器と、合成器で生成された合成信号を２分岐して、第１および第２のミキサに出力する第３の分配器とを備え、第１のミキサは、第３の分配器から出力された合成信号と第１の増幅器から出力された中間基準位相信号とを混合して、基準位相信号を生成し、第２のミキサは、第３の分配器から出力された合成信号と第３の増幅器から出力された中間直交信号とを混合して、直交信号を生成する。
【００２６】
以上の第１〜第１２の発明によれば、第１および第２のミキサが、中間基準位相信号および中間直交信号の周波数をアップコンバートするので、それらの前段の９０度分配器は、従来よりも低周波数信号を処理できるようになる。したがって、９０度分配器を構成する回路素子にばらつきおよび／または温度偏差が出にくくなる。さらに、回路基板や配線における浮遊容量を無視できる程度まで抑えることができるようになる。これによって、高周波数で高精度な基準位相信号および直交信号を生成できる信号生成器を実現できるようになる。
【００２７】
【発明の実施の形態】
図１は、本発明の第１の実施形態に係る信号生成回路ＳＧ1 を組み込んだ直交変調器の回路構成を示すブロック図である。図１において、直交変調器は、信号生成回路ＳＧ1 を備えている。信号生成回路ＳＧ1 は、２個の入力端子１および２と、９０度分配器３と、移相器４と、分配器５と、２個のミキサ６および７と、２個の出力端子８および９とを備えており、このような構成によって、高精度な基準位相信号ＳREF および直交信号ＳQRを生成する。ここで、従来技術との相違を明確にする観点から、基準位相信号ＳREF および直交信号ＳQRの周波数ｆC1と仮定する。なお、直交信号ＳQRの位相は、従来技術と同様、基準位相信号ＳREF のものと直交する。以上の信号生成回路ＳＧ1 の他にも、直交変調器は、局部発振器１０と、２個の直交変調用のミキサ１１および１２と、合成器１３とを備えている。
【００２８】
次に、本信号生成回路ＳＧ1 を中心に、直交変調器の動作について説明する。入力端子１および２は、局部発振器１０と結線される。ここで、局部発振器１０は、ｆC の周波数を有する局部発振信号ＳLOを生成する。本実施形態では、発振周波数ｆC はｆC1／２でよく、従来と比較して半分ですむ。以上のような局部発振信号ＳLOは、入力端子１および２のそれぞれに与えられる。
【００２９】
９０度分配器３は、９０度分配器１０２（図１３〜図１５参照）と同様の回路構成を有するが、後述するように、９０度分配器３を構成する回路素子（つまり、抵抗および／または容量）の値は、９０度分配器１０２の回路素子の値より大きい。以上の９０度分配器３は、入力端子１と結線され、入力局部発振信号ＳLOから、中間基準位相信号ＩＳREF および中間直交信号ＩＳQRを生成する。中間基準位相信号ＩＳREF および中間直交信号ＩＳQRはそれぞれ、上記発振周波数ｆC1／２と同じ周波数を有するが、中間直交信号ＩＳQRの位相は、中間基準位相信号ＩＳREF のものと直交する。以上の中間基準位相信号ＩＳREF はミキサ６に出力され、また、中間直交信号ＩＳQRはミキサ７に出力される。
【００３０】
また、移相器４は、遅延線路または遅延フィルタで構成され、入力端子２と結線される。以上の移相器４は、入力局部発振信号ＳLOの位相を予め定められた量θだけずらして移相信号ＳSFT を生成し、分配器５に出力する。なお、詳細は後述するが、本信号生成回路ＳＧ1 は、好ましい構成として、移相器４を備えている。しかし、移相器４は本信号生成回路ＳＧ1 に必須の構成ではなく、局部発振信号ＳLOと、中間基準位相信号ＩＳREF および中間直交信号ＩＳQRとの位相関係によっては、入力端子２に与えられた局部発振信号ＳLOを直接、分配器５に入力するように構成されても良い。分配器５は、入力移相信号ＳSFT を２分岐して、一方をミキサ６に出力し、他方をミキサ７に出力する。
【００３１】
ミキサ６は、入力中間基準位相信号ＩＳREF と、入力移相信号ＳSFT とを掛け合わせて、上述の基準位相信号ＳREF を生成し、これを出力端子８に出力する。また、ミキサ７は、入力中間直交信号ＩＳQRと、入力移相信号ＳSFT とを掛け合わせて、上述の直交信号ＳQRを生成し、これを出力端子９に出力する。
【００３２】
出力端子８には、直交変調用のミキサ１１が結線される。ミキサ１１には、出力端子８を通じて、ミキサ６から出力された基準位相信号ＳREF が入力され、さらに、別経路を通じて、ベースバンド信号ＳBBが入力される。以上の入力ベースバンド信号ＳBBおよび入力基準位相信号ＳREF を、ミキサ１１は掛け合わせて、基準位相変調信号ＭＳREF を生成する。また、出力端子９には、直交変調用のミキサ１２が結線される。ミキサ１２には、出力端子９を通じて、ミキサ７から出力された直交信号ＳQRが入力され、さらに、別経路を通じて、上述のベースバンド信号ＳBBが入力される。以上の入力ベースバンド信号ＳBBおよび入力直交信号ＳQRを、ミキサ１２は掛け合わせて、直交変調信号ＭＳQRを生成する。以上のような基準位相変調信号ＭＳREF および直交変調信号ＭＳQRは合成器１３に出力される。合成器１３は、入力基準位相変調信号ＭＳREF と入力直交変調信号ＭＳQRとを合成して、合成信号ＳMPを生成する。
【００３３】
次に、本信号生成回路ＳＧ1 の技術的効果を詳しく説明する。そのために、まず、中間基準位相信号ＩＳREF を、Ａ・ｅｘｐ（ｊωｔ）と、中間直交信号ＩＳQRを、Ａ・ｅｘｐ（ｊωｔ＋π／２）とおく。さらに、移相信号ＳSFT を、Ｂ・ｅｘｐ（ｊωｔ＋θ）とおく。ここで、ＡおよびＢは、各信号の振幅値である。また、ωは、局部発振信号ＳLOの角周波数であり、π・ｆC1に等しい。さらに、θは、移相器４における移相量である。各信号を以上のように表した場合、基準位相信号ＳREF は次式（２）のように表され、直交信号ＳQRは次式（３）のように表される。
0003974786.tif 000002
ここで、Ｃは、Ａ×Ｂである。
【００３４】
上式（２）および（３）から明らかなように、基準位相信号ＳREF および直交信号ＳQRの位相差は９０度である。さらに、本信号生成回路ＳＧ1 では、ミキサ６および７で、中間基準位相信号ＩＳREF および中間直交信号ＩＳQRの周波数をアップコンバートしているから、局部発振器１０の発振周波数を、基準位相信号ＳREF および直交信号ＳQRの周波数ｆC1と比較して半分のｆC1／２にすることができる。言い換えれば、９０度分配器３には、従来と比較して低周波数の局部発振信号ＳLOが入力される。これは、前式（１）におけるｆC が低くなることを意味し、さらに、９０度分配器３に大きな値の抵抗および／または容量を使うことができることを意味する。
【００３５】
例えば、５ＧＨｚ帯の基準位相信号ＳREF および直交信号ＳQRを得たい場合、従来の９０度分配器１０２を構成するには、５ＧＨｚ＝１／２πＲＣの関係を満たすように、例えば、６４Ωの抵抗および０．５ｐＦの容量が必要となる。それに対して、本信号生成回路ＳＧ1 を構成するには、２．５ＧＨｚ＝１／２πＲＣの関係を満たすように、例えば、６４Ωの抵抗および１ｐＦの容量を９０度分配器３に使えば良い。
【００３６】
以上のように抵抗値および／または容量値を大きくすることで、９０度分配器３の回路素子にばらつきおよび／または温度偏差の影響が出にくくなり、基準位相信号ＳREF および直交信号ＳQRの間には、振幅誤差および／または位相誤差が生じにくくなる。これによって、従来よりも高精度な基準位相信号ＳREF および直交信号ＳQRを生成できる信号生成回路ＳＧ1 を提供することが可能となる。さらに、９０度分配器３の抵抗値および容量値を大きくできることから、半導体集積回路化に好適な信号生成回路ＳＧ1 を提供することが可能となる。
【００３７】
他にも、局部発振器１０の発振周波数ｆC を従来よりも低く抑えることができるので、信号生成回路ＳＧ1 を低コストで製造できるという技術的効果も得ることができる。
また、本信号生成回路ＳＧ1 では、ミキサ６および７の前段に、局部発振信号ＳLOの振幅値を減衰させる９０度分配器３が配置されている。これによって、基準位相信号ＳREF および直交信号ＳQRの飽和レベルを、従来のものよりも向上させることが可能になる。
【００３８】
また、以上の実施形態では、好ましい例として、入力端子１および２の双方に局部発振器１０が結線されていた。これによって、発振周波数ｆC を２逓倍した周波数を有する基準位相信号ＳREF および直交信号ＳQRを、信号生成回路ＳＧ1 は生成していた。しかし、これに限らず、例えば、入力端子１および２に、互いに発振周波数の相違する第１および第２の局部発振器を結線することで、２逓倍以外にも対応することが可能となる。他にも、９０度分配器３への入力局部発振信号ＳLO、移相器４への入力局部発振信号ＳLO  中間基準位相信号ＩＳREF および中間直交信号ＩＳQRの両方、および移相信号ＳSFT のいずれかを周波数変換することでも２逓倍以外に対応できる信号生成回路ＳＧ1 を提供することが可能となる。
【００３９】
また、以上の実施形態では、好ましい例として、移相器４を備える信号生成回路ＳＧ1 について説明した。以下、移相器４を備えることによる技術的効果を詳しく説明する。まず、本技術的効果を明確にするために、移相器４が無く、分配器５に局部発振信号ＳLOが直接入力される場合について説明する。また、以下の説明では、信号発生回路ＳＧ1 の配線での遅延については無視する。以上のような場合、ミキサ６には、位相差が実質的にゼロの中間基準位相信号ＩＳREF および局部発振信号ＳLOが入力される。それに対して、ミキサ７には、中間直交信号ＩＳQRおよび局部発振信号ＳLOが入力される。しかしながら、これら中間直交信号ＩＳQRおよび局部発振信号ＳLOの位相差が実質的に９０度であるため、ミキサ６および７への入力レベルは時間軸上で異なる。その結果、両ミキサ６および７の動作が非対称となり、図２に示すように、ミキサ６の変換利得Ｇa およびミキサ７の変換利得Ｇb に差が生じてしまう。このように変換利得に差が生じると、ミキサ６からの出力基準位相信号ＳREF とミキサ７からの出力直交信号ＳQRの振幅値は大きく異なってしまう。
【００４０】
次に、移相器４が信号生成回路ＳＧ1 に備わる場合について説明する。また、移相器４は、入力局部発振信号ＳLOの位相をθ＝４５度だけずらして移相信号ＳSFT を生成すると仮定する。この場合、ミキサ６には、位相差が実質的に４５度の中間基準位相信号ＩＳREF および移相信号ＳSFT が入力され、ミキサ７には、位相差が実質的に４５度の中間直交信号ＩＳQRおよび移相信号ＳSFT が入力される。このように両ミキサ６および７には、互いに位相差が４５度の２信号が入力されるので、両ミキサ６および７の動作を対称にすることが可能となり、これによって、ミキサ６からの出力基準位相信号ＳREF とミキサ７からの出力直交信号ＳQRの振幅値の誤差を飛躍的に小さくすることができる。
【００４１】
なお、以上の説明では、中間基準位相信号ＩＳREF を、Ａ・ｅｘｐ（ｊωｔ）と、中間直交信号ＩＳQRを、Ａ・ｅｘｐ（ｊωｔ＋π／２）とおいていた。つまり、中間基準位相信号ＩＳREF の位相は０度で、中間直交信号ＩＳQRの位相は９０度である。しかし、このような位相関係以外であっても、上述のような技術的効果は得られる。具体的には、ミキサ６に入力される２信号の位相差が実質的に４５度または１３５度で、ミキサ７への入力２信号の位相差も実質的に４５度または１３５度という条件さえ満たせば、９０度分配器３は、上述のような位相関係以外の中間基準位相信号ＩＳREF および中間直交信号ＩＳQRを生成しても良い。例えば、９０度分配器３が、入力局部発振信号ＳLOから、＋４５度の位相を有する中間基準位相信号ＩＳREF と、−４５度の中間直交信号ＩＳQRを生成する場合について説明する。この場合には、入力端子２からミキサ６および７までの至る経路長と、入力端子１からミキサ６および７までの経路長との差があれば、両ミキサ６および７の動作は非対称になるが、上述の信号生成回路ＳＧ1 によれば、移相器４により、上述の経路差に起因して生じる位相差を補償することが可能になる。その結果、ミキサ６からの出力基準位相信号ＳREF と、ミキサ７からの出力直交信号ＳQRとの振幅誤差を飛躍的に小さくすることができる。
【００４２】
また、以上の実施形態では、移相器４を入力端子２と分配器５の間に配置したが、このような配置に限らず、図３に示すように、入力端子１と９０度分配器３の間に移相器４を配置し、入力端子１を通じて入力される局部発振信号ＳLOの位相を４５度ずらすようにしても良い。このような配置の場合にも、上述と同様に、ミキサ６および７のそれぞれには、互いに４５度の位相差を有する２信号が入力される。他にも、移相器４は、９０度分配器３と、ミキサ６および／または７との間に配置されても、ミキサ６および７のそれぞれには、互いに４５度の位相差を有する２信号を与えることができる。
【００４３】
図４は、上述の信号生成回路ＳＧ1 を組み込んだ直交復調器の回路構成を示すブロック図である。図４の直交復調器は、図１の直交変調器と比較して、ミキサ１１および１２ならびに合成器１３に代えて、分離器２１ならびに直交復調用のミキサ２２および２３を備えている点で相違する。それ以外に直交復調器および直交変調器の間には構成上の相違点は無い。それ故、図４において、図１の構成に相当するものには、同一の参照符号を付け、それぞれの説明を省略する。
【００４４】
次に、以上の構成を有する直交復調器の動作について説明する。図４において、分離器２１には、上述の合成信号ＳMPが入力される。分離器２１は、入力合成信号ＳMPを位相基準変調信号ＭＳREF と直交変調信号ＭＳQRとに分離して、基準位相変調信号ＭＳREF をミキサ２２に出力し、直交変調信号ＭＳQRをミキサ２３に出力する。
【００４５】
ミキサ２２には、基準位相変調信号ＭＳREF の他に、信号生成回路ＳＧ1 により生成された基準位相信号ＳREF が入力される。ミキサ２２は、入力基準位相変調信号ＭＳREF と入力基準位相信号ＳREF とを掛け合わせて、ベースバンド信号ＳBBを再生する。また、ミキサ２３には、直交変調信号ＭＳQRの他に、信号生成回路ＳＧ1 により生成された直交信号ＳQRが入力される。ミキサ２３は、入力直交変調信号ＭＳQRと直交信号ＳQRとを掛け合わせて、ベースバンド信号ＳBBを再生する。
【００４６】
また、図５は、上述の信号生成回路ＳＧ1 を組み込んだイメージリジェクションミキサの回路構成を示すブロック図である。図５のイメージリジェクションミキサは、図１の直交変調器と比較して、９０度分配器３１をさらに備える点で相違する。それ以外にイメージリジェクションミキサおよび直交変調器の間には構成上の相違点は無い。それ故、図５において、図１の構成に相当するものには、同一の参照符号を付ける。
【００４７】
次に、以上の構成を有するイメージリジェクションミキサの動作について説明する。９０度分配器３１には、中間周波数信号ＳIFが入力される。ここで、中間周波数信号ＳIFは、中間周波数を有する搬送波をベースバンド信号で変調した信号である。９０度分配器３１は、入力中間周波数信号ＳIFから、基準位相中間周波数信号ＩＦＳREF および直交中間周波数信号ＩＦＳQRを生成する。ここで、基準位相中間周波数信号ＩＦＳREF および直交中間周波数信号ＩＦＳQRは、互いに９０度の位相差を有し、かつ互いに同じ振幅値を有する。以上の基準位相中間周波数信号ＩＦＳREF は、ミキサ１１に出力され、直交中間周波数信号ＩＦＳQRは、ミキサ１２に出力される。
【００４８】
ミキサ１１は、入力基準位相中間周波数信号ＩＦＳREF および入力基準位相信号ＳREF を掛け合わせて、基準位相変調信号ＭＳREF を生成する。ミキサ１２は、入力直交中間周波数信号ＩＦＳQRおよび入力直交信号ＳQRを掛け合わせて、直交変調信号ＭＳQRを生成する。以上のような基準位相変調信号ＭＳREF および直交変調信号ＭＳQRは合成器１３に出力される。合成器１３は、入力基準位相変調信号ＭＳREF と入力直交変調信号ＭＳQRとを合成して、合成信号ＳMPを生成する。
【００４９】
図６は、本発明の第２の実施形態に係る信号生成回路ＳＧ2 の回路構成を示すブロック図である。図６の信号生成回路ＳＧ2 は、図１の信号生成回路ＳＧ1 と比較すると、移相器４の代わりに、９０度分配器４１および合成器４２を備える点で相違する。それ以外に両回路ＳＧ2 およびＳＧ1 の間に構成上の相違点は無い。それ故、図６において、図１の構成に相当するものには同一の参照符号を付け、それぞれの説明を省略する。
【００５０】
入力端子２は、９０度分配器４１に結線される。９０度分配器４１は、９０度分配器３と同じ入出力特性を有しており、入力端子２を通じて入力された局部発振信号ＳLOから、第１の信号ＳFST および第２の信号ＳSCD を生成する。第１の信号ＳFST は、前述の中間基準位相信号ＩＳREF と同相でありかつ同じ振幅値を有する。第２の信号ＳSCD は、前述の中間直交信号ＩＳQRと同相でありかつ同じ振幅値を有する。以上のような第１の信号ＳFST および第２の信号ＳSCD は、合成器４２に出力される。合成器４２は、第１の信号ＳFST および第２の信号ＳSCD を合成して合成信号ＳCMP を生成し、これを分配器５に出力する。
【００５１】
ここで、図７は、合成信号ＳCMP と、中間基準位相信号ＩＳREF および中間直交信号ＩＳQRの位相関係を示すベクトル図である。図７において、ベクトルａ1 は中間基準位相信号ＩＳREF を表す。ベクトルａ2 は第１の信号ＳFST を表しており、ベクトルａ1 と同じ大きさおよび同じ方向を有する。ベクトルｂ1 は、中間直交信号ＩＳQRを表し、ベクトルａ1 と同じ大きさを有するが、９０度異なる方向を有する。さらに、ベクトルｂ2 は第２の信号ＳSCD を表し、ベクトルｂ1 と同じ大きさおよび方向を有する。上述したように、合成信号ＳCMP は、第１の信号ＳFST および第２の信号ＳSCD を合成したものであるから、合成信号ＳCMP は、ベクトルａ2 およびｂ2 を合成したベクトルｃで表すことができる。このベクトルｃは、ベクトルａ1 およびｂ1 と比較すると、４５度異なる方向を有する。
【００５２】
以上のことから、合成信号ＳCMP は、第１の実施形態における移相信号ＳSFT と同じ信号であることが分かる。そのため、本信号生成回路ＳＧ2 もまた、信号生成回路ＳＧ1 と同様の技術的効果を奏する。さらに、９０度分配器４１は、図１３に示すように単純な構成で実現できることから、遅延線路または遅延フィルタで構成される移相器４よりも小型化することができる。これによって、さらに半導体集積回路化に好適な信号生成回路ＳＧ2 を提供することが可能となる。さらに、９０度分配器４１は、９０度分配器３と同じ入出力特性を有することから、合成信号ＳCMP は、広い周波数帯域にわたって、中間基準位相信号ＩＳREF および中間直交信号ＩＳQRの双方と４５度の位相関係を保つことができる。
【００５３】
図８は、本発明の第３の実施形態に係る信号生成回路ＳＧ3 の回路構成を示すブロック図である。図８の信号生成回路ＳＧ3 は、図１の信号生成回路ＳＧ1 と比較すると、入力端子２および移相器４の代わりに、分配器５１および５２ならびに加算器５３を備える点で相違する。それ以外に両回路ＳＧ3 およびＳＧ1 の間に構成上の相違点は無い。それ故、図８において、図１の構成に相当するものには同一の参照符号を付け、それぞれの説明を省略する。
【００５４】
分配器５１は、９０度分配器３とミキサ６との間に配置され、９０度分配器３の出力中間基準位相信号ＩＳREF を２分岐して、一方をミキサ６に出力し、他方を加算器５３に出力する。また、分配器５２は、９０度分配器３とミキサ７との間に配置され、９０度分配器３の出力中間直交信号ＩＳQRを２分岐して、一方をミキサ７に出力し、他方を加算器５３に出力する。加算器５３は、入力中間基準位相信号ＩＳREF と入力中間直交信号ＩＳQRとを加算して加算信号ＳADD を生成して、分配器５に出力する。
【００５５】
以上の加算信号ＳADD は、互いに直交する入力中間基準位相信号ＩＳREF と入力中間直交信号ＩＳQRを加算したものであるから、上述の合成信号ＳCMP と同様に、移相信号ＳSFT と同じ信号となる。そのため、本信号生成回路ＳＧ3 もまた、信号生成回路ＳＧ1 と同様の技術的効果を奏する。さらに、加算器５３は、単純な構成で実現できることから、遅延線路または遅延フィルタで構成される移相器４よりも小型化することができる。これによって、さらに半導体集積回路化に好適な信号生成回路ＳＧ3 を提供することが可能となる。さらに、加算器５３は、ミキサ６および７の入力中間基準位相信号ＩＳREF および入力直交信号ＩＳQRから合成信号ＳCMP を生成することになるので、広い周波数帯域にわたって、加算信号ＳADD は、中間基準位相信号ＩＳREF および中間直交信号ＩＳQRの双方と４５度の位相関係を保つことができる。
【００５６】
図９は、本発明の第４の実施形態に係る信号生成回路ＳＧ4 の回路構成を示すブロック図である。図９の信号生成回路ＳＧ4 は、図１の信号生成回路ＳＧ1 と比較すると、入力端子２および移相器４の代わりに、分配器６１および６２、互いに同じ入出力特性および遅延特性を有する増幅器６３〜６６ならびに合成器６７をさらに備える点で相違する。それ以外に両回路ＳＧ4 およびＳＧ1 の間に構成上の相違点は無い。それ故、図９において、図１の構成に相当するものには同一の参照符号を付け、それらの説明を省略する。
【００５７】
分配器６１は、９０度分配器３の出力中間基準位相信号ＩＳREF を２分岐して、一方を増幅器６３に出力し、他方を増幅器６４に出力する。増幅器６３は、入力中間基準位相信号ＩＳREF を増幅して、ミキサ６に出力する。増幅器６４は、入力中間基準位相信号ＩＳREF を増幅して、合成器６７に出力する。
分配器６２は、９０度分配器３の出力中間直交信号ＩＳQRを２分岐して、一方を増幅器６５に出力し、他方を増幅器６６に出力する。増幅器６５は、入力中間直交信号ＩＳQRを増幅して、ミキサ７に出力する。増幅器６６は、入力直交信号ＩＳQRを増幅して、合成器６７に出力する。合成器６７は、入力中間基準位相信号ＩＳREF および入力中間直交信号ＩＳQRを合成して合成信号ＳCMP を生成し、これを分配器５に出力する。
【００５８】
ここで、上述において、増幅器６３〜６６は、入力信号ＩＳREF またはＩＳQRの位相を同じ量だけ回転させ、かつそれぞれへの入力信号ＩＳREF またはＩＳQRの振幅値を同じ値に増幅することになるので、合成信号ＳCMP は移相信号ＳSFT と同じ信号となる。そのため、本信号生成回路ＳＧ4 もまた、信号生成回路ＳＧ1 と同様の技術的効果を奏する。さらに、増幅器６３〜６６は現在十分に小型化されており、これらを用いることで、半導体集積回路化に好適な信号生成回路ＳＧ4 を提供することが可能になる。
【００５９】
図１０は、本発明の参考例に係る信号生成回路ＳＧ5の回路構成を示すブロック図である。図１０において、信号生成回路ＳＧ5は、入力端子１と、９０度分配器３と、分配器７１〜７４と、減算器７５と、加算器７６と、２個のミキサ６および７と、請求項における振幅調整部の一例としての２個のリミッタアンプ７７および７８と、２個の出力端子８および９とを備えている。なお、図１０において、図１の構成に相当するものには、同一の参照符号を付けている。以上のような構成によって、信号生成回路ＳＧ5は、高精度な基準位相信号ＳREFおよび直交信号ＳQRを生成する。ここで、第１の実施形態と同様、基準位相信号ＳREFおよび直交信号ＳQRはそれぞれ周波数ｆC1を有すると仮定する。なお、直交信号ＳQRの位相は、従来技術と同様、基準位相信号ＳREFのものと直交する。
【００６０】
次に、本信号生成回路ＳＧ5 の動作を説明する。入力端子１には、図１の場合と同様に、周波数ｆC1／２を有する局部発振信号ＳLOを出力する局部発振器１０が結線される。９０度分配器３は、入力端子１を通じて入力される局部発振信号ＳLOから、前述と同様の中間基準位相信号ＩＳREF および中間直交信号ＩＳQRを生成する。以上の中間基準位相信号ＩＳREF は、分配器７１に出力され、また、中間直交信号ＩＳQRは分配器７２に出力される。
【００６１】
分配器７１は、入力中間基準位相信号ＩＳREF を２分岐して、一方を分配器７３に、他方を減算器７５に出力する。また、分配器７３は、分配器７１の出力中間基準信号ＩＳREF を２分岐して、一方をミキサ６に、他方を加算器７６に出力する。また、分配器７２は、入力中間直交信号ＩＳQRを２分岐して、一方を分配器７４に、他方を減算器７５に出力する。分配器７４は、分配器７２の出力中間直交信号ＩＳQRを２分岐して、一方をミキサ６に、他方を加算器７６に出力する。
【００６２】
上述より、ミキサ６には、中間基準位相信号ＩＳREF と直交信号ＩＳQRが入力される。ミキサ６は、入力中間基準位相信号ＩＳREF および直交信号ＩＳQRを掛け合わせて、周波数がｆC の基準位相信号ＳREF を生成する。以上の基準位相信号ＳREF は、リミッタアンプ７７に出力される。リミッタアンプ７７は、入力された基準位相信号ＳREF の振幅値を予め定められた値に調整して、出力端子８に出力する。
【００６３】
また、減算器７５にも中間基準位相信号ＩＳREF と入力直交信号ＩＳQRが入力される。減算器７５は、入力中間直交信号ＩＳQRから入力中間基準位相信号ＩＳREF を減算して減算信号ＳSBT を生成し、これをミキサ７に出力する。また、加算器７６にも、中間基準位相信号ＩＳREF と入力直交信号ＩＳQRが入力される。加算器７６は、入力中間直交信号ＩＳQRと入力中間基準位相信号ＩＳREF とを加算して加算信号ＳADD を生成し、これをミキサ７に出力する。ミキサ７は、入力減算信号ＳSBT および入力加算信号ＳADD を掛け合わせて、上述のミキサ６で生成される基準位相信号ＳREF と位相が９０度異なる直交信号ＳQRを生成する。以上の直交信号ＳQRは、リミッタアンプ７８に出力される。リミッタアンプ７８は、入力された直交信号ＳQRの振幅値を、リミッタアンプ７７から出力される基準位相信号ＳREF の振幅値と同じ値に調整して、出力端子９に出力する。
【００６４】
ここで、図１１は、中間基準位相信号ＩＳREF 、中間直交信号ＩＳQR、減算信号ＳSBT 、および加算信号ＳADD の位相関係を示すベクトル図である。図１１において、ベクトルａ1 およびｂ1 は、図７の場合と同様に、中間基準位相信号ＩＳREF および中間直交信号ＩＳQRを表す。ベクトルｄ1 は、減算信号ＳSBT を表し、ｂ1 −ａ1 に等しい。従って、減算信号ＳSBT の位相は、中間基準位相信号ＩＳREF の位相と比較すると１３５度異なり、中間直交信号ＩＳQRの位相と比較すると４５度異なる。また、ベクトルｅ1 は、加算信号ＳADD を表し、ａ1 ＋ｂ1 に等しい。従って、加算信号ＳADD の位相は、中間基準位相信号ＩＳREF および中間直交信号ＩＳQRの双方の位相と４５度異なる。
【００６５】
ここで、ベクトルａ1 およびｂ1 を、前述と同様に、Ａ・ｅｘｐ（ｊωｔ）およびＡ・ｅｘｐ（ｊωｔ＋π／２）とおく。また、ベクトルｄ1 をＤ・ｅｘｐ（ｊωｔ＋３π／４）、さらに、ベクトルｅ1 をＤ・ｅｘｐ（ｊωｔ＋π／４）とおく。ここで、Ｄは、減算信号ＳSBT および加算信号ＳADD の振幅値であり、Ａ・√２である。各ベクトルを以上のように表した場合、基準位相信号ＳREF は次式（４）のように表され、直交信号ＳQRは次式（５）のように表される。
Ａ・ｅｘｐ（ｊωｔ）×Ａ・ｅｘｐ（ｊωｔ＋π／２）＝Ａ2 ・ｅｘｐ（ｊ２ωｔ＋π／２）…（４）
Ｄ・ｅｘｐ（ｊωｔ＋３π／４）×Ｄ・ｅｘｐ（ｊωｔ＋π／４）＝Ｄ2 ・ｅｘｐ（ｊ２ωｔ＋π）…（５）
【００６６】
上式（４）および（５）から明らかなように、基準位相信号ＳREF および直交信号ＳQRの位相差は９０度である。さらに、本信号生成回路ＳＧ5 では、リミッタアンプ７７および７８により、Ａ2 ＝Ｄ2 になるように、基準位相信号ＳREF および直交信号ＳQRの振幅値が調整される。これによって、本信号生成回路ＳＧ5 もまた、信号生成回路ＳＧ1 と同様の技術的効果を奏することになる。
【００６７】
なお、以上の参考例では、基準位相信号ＳREFおよび直交信号ＳQRの振幅をリミッタアンプ７７および７８で調整していたが、これに限らず、減衰器に代表されるレベル調整器であれば、どのようなものを使っても良い。さらに、以上の実施形態では、ミキサ６および７の後段にリミッタアンプ７７および７８が配置されていたが、このような回路構成に限らず、ミキサ６および７のいずれか一方の後段に１個のリミッタアンプを配置することでも、基準位相信号ＳREFおよび直交信号ＳQRの間の振幅誤差をなくすことができる。
【００６８】
また、信号生成回路ＳＧ2 〜ＳＧ5 をのいずれかを、信号生成回路ＳＧ1 と同様に、直交変調器、直交復調器またはイメージリジェクションミキサに実装しても良い。さらに、以上の３種類に限らず、以上の信号生成回路ＳＧ1 〜ＳＧ5 は、互いに直交する基準位相信号ＳREF および直交信号ＳQRを必要とする無線通信機であれば、どのようなものに実装されても良い。
【図面の簡単な説明】
【図１】  本発明の第１の実施形態に係る信号生成回路ＳＧ1を組み込んだ直交変調器の回路構成を示すブロック図である。
【図２】  図１の移相器４が無い場合に生じうるミキサ６の入出力特性およびミキサ７の入出力特性の差を示す図である。
【図３】  図１の信号生成回路ＳＧ1の変形例を示すブロック図である。
【図４】  図１の信号生成回路ＳＧ1を組み込んだ直交復調器の回路構成を示すブロック図である。
【図５】  図１の信号生成回路ＳＧ1を組み込んだイメージリジェクションミキサの回路構成を示すブロック図である。
【図６】  本発明の第２の実施形態に係る信号生成回路ＳＧ2の回路構成を示すブロック図である。
【図７】  図６に示す合成信号ＳCMPと、中間基準位相信号ＩＳREFおよび中間直交信号ＩＳQRの位相関係を示すベクトル図である。
【図８】  本発明の第３の実施形態に係る信号生成回路ＳＧ3の回路構成を示すブロック図である。
【図９】  本発明の第４の実施形態に係る信号生成回路ＳＧ4の回路構成を示すブロック図である。
【図１０】  本発明の参考例に係る信号生成回路ＳＧ5の回路構成を示すブロック図である。
【図１１】  図１０に示す中間基準位相信号ＩＳREF、中間直交信号ＩＳQR、減算信号ＳSBT、および加算信号ＳADDの位相関係を示すベクトル図である。
【図１２】  一般的な直交変調器の回路構成を示すブロック図である。
【図１３】  図１２に示す９０度分配器１０２の第１の構成例であるＲＣ移相器の回路構成を示す模式図である。
【図１４】  図１２に示す９０度分配器１０２の第２の構成例であるポリフェーズフィルタの回路構成を示す模式図である。
【図１５】  図１２に示す９０度分配器１０２の第３の構成例である多段ポリフェーズフィルタの回路構成を示す模式図である。
【図１６】  一般的なイメージリジェクションミキサの回路構成を示すブロック図である。
【符号の説明】
ＳＧ1〜ＳＧ5…信号生成回路
１，２…入力端子
３，４１…９０度分配器
４…移相器
５，５１，５２，６１，６２，７１〜７４…分配器
６，７…ミキサ
８，９…出力端子
１０…局部発振器
４２…合成器
５３，７６…加算器
６３〜６６…増幅器
６７…合成器
７５…減算器
７７，７８…リミッタアンプ
【図１】
0003974786.tif 000003
【図２】
0003974786.tif 000004
【図３】
0003974786.tif 000005
【図４】
0003974786.tif 000006
【図５】
0003974786.tif 000007
【図６】
0003974786.tif 000008
【図７】
0003974786.tif 000009
【図８】
0003974786.tif 000010
【図９】
0003974786.tif 000011
【図１０】
0003974786.tif 000012
【図１１】
0003974786.tif 000013
【図１２】
0003974786.tif 000014
【図１３】
0003974786.tif 000015
【図１４】
0003974786.tif 000016
【図１５】
0003974786.tif 000017
【図１６】
0003974786.tif 000018